(57)【要約】      （修正有）【課題】玄関子機から送信された呼出信号を映像信号と共に受信した後に再送信し、室外の他の機器で玄関子機からの呼び出しを映像信号で容易に確認できるとともに、他人のインターホンで通話可能とするインターホンシステムを提供する。【解決手段】玄関に設置された玄関子機と、室内親機と、室内親機に接続された室内ゲートウェイと、ゲートウェイ経由で玄関子機からの呼出信号を受信可能な外部ゲートウェイと、外部ゲートウェイに接続された外部親機と、室内親機からの呼出を受け付けるように予め設定され、外部ゲートウェイ及び外部親機の少なくとも１つに設置された無線送受信回路を介して無線接続される無線端末とを備え、外部ゲートウェイは、室内ゲートウェイから呼出信号をネットワークを介して受信すると、外部親機及び無線端末に呼出信号を送り、玄関子機との通話路を確立する。【選択図】図１
2010130431.tif 000002
【特許請求の範囲】
【請求項１】
玄関に設置され、訪問者を撮像するカメラ（１１）を有する玄関子機（１）と、室内に設置され前記玄関子機からの呼び出しに応じて通話を行なう室内親機（２ａ）と、第１の伝送線（Ｌ１）を介して前記室内親機に接続された室内ゲートウェイ（３ａ）と、ネットワークを介して前記ゲートウェイ経由で前記玄関子機からの呼出信号を受信可能な外部ゲートウェイ（３ｂ）と、第２の伝送線（Ｌ２）を介して前記外部ゲートウェイに接続された外部親機（２ｂ）と、前記室内親機からの呼出を受け付けるように予め設定され、前記外部ゲートウェイ及び前記外部親機の少なくとも１つに設置された無線送受信回路（２９、３９）を介して無線接続される無線端末（５）と、を備え、
前記室内ゲートウェイは、前記玄関子機あるいは前記室内親機からの信号を前記伝送線を介して受信すると、ネットワークを経由して前記外部ゲートウェイに信号を送る信号変換回路（３１）を備え、
前記無線端末は、前記無線送受信回路の信号を受信したら位置情報を前記室内ゲートウェイに送る無線端末ＣＰＵ（５１）を備え、
前記室内ゲートウェイは、前記玄関子機からの呼出操作に基づく呼出信号を受信すると、ネットワークを経由して前記位置情報の送出された前記外部ゲートウェイに呼出信号を送り、
前記外部ゲートウェイは、前記室内ゲートウェイから呼出信号を前記ネットワークを介して受信すると、前記外部親機及び前記無線端末に呼出信号を送り、前記無線端末が応答操作を行なった後に前記外部親機で通話操作を行なうと、前記外部親機と前記玄関子機との通話路を確立することを特徴とするインターホンシステム。
【請求項２】
前記無線送受信回路は、前記玄関子機のカメラ映像を前記無線端末に転送するとともに、前記無線端末はカメラ映像を出画することを特徴とする請求項１記載のインターホンシステム。
【請求項３】
前記外部ゲートウェイは、前記玄関子機のカメラ映像を前記外部親機に転送するとともに、前記外部親機はカメラ映像を出画することを特徴とする請求項１記載のインターホンシステム。
【発明の詳細な説明】
【技術分野】
【０００１】
本発明は、インターホンシステムに係り、特に、玄関子機から送信された呼出信号を映像信号と共に受信した後に再送信し、室外の他の機器で玄関子機からの呼び出しを映像信号で容易に確認できるとともに、他人のインターホンで通話可能とするインターホンシステムに関する。
【背景技術】
【０００２】
従来から、携帯電話と室内親機との間で、通話と共に室内親機に接続されている電気錠やセキュリティセンサのデータ送受を行うことができるインターホン装置が知られている（例えば、特許文献１参照）。このインターホン装置は、訪問者が玄関子機の呼出ボタンで室内親機を呼び出した際、室内親機が転送モードに設定されていると、呼出信号は室内親機が有するＰＨＳカードから携帯電話網を介して外出中の居住者が携帯する携帯電話に送信される。居住者は、訪問者を住居内に招き入れるために、携帯電話で電気錠を解錠する操作を行うと、解除信号が携帯電話網からＰＨＳカードを介して室内親機に送信される。室内親機は解除信号に基づき電気錠を解錠することができる。また、玄関子機と移動端末とは、室内親機のＰＨＳカードと携帯電話網を介して通話することができる。
【特許文献１】特開２００４−２６０７３５号公報
【発明の開示】
【発明が解決しようとする課題】
【０００３】
しかしながら、背景技術に記載したインターホン装置は、ＰＨＳカード等の基本料金、サーバー利用料が必要であり、かつ、それらの利用には回線事業者との契約が必要であったため、月額使用料が高くなるとともに、契約の面倒さから一般の人が利用することはほとんどなかった。
【０００４】
本発明は、このような従来の難点を解決するためになされたもので、インターネット等の外部ネットワーク環境が構築されている住居において、通信契約を追加することなく、玄関子機と、他の居室の通信機器とで映像を確認しながら通話できるインターホンシステムを提供することを目的とする。
【課題を解決するための手段】
【０００５】
上述の目的を達成する本発明のインターホンシステムは、玄関に設置され、訪問者を撮像するカメラを有する玄関子機と、室内に設置され玄関子機からの呼び出しに応じて通話を行なう室内親機と、第１の伝送線を介して室内親機に接続された室内ゲートウェイと、ネットワークを介してゲートウェイ経由で玄関子機からの呼出信号を受信可能な外部ゲートウェイと、第２の伝送線を介して外部ゲートウェイに接続された外部親機と、室内親機からの呼出を受け付けるように予め設定され、外部ゲートウェイ及び外部親機の少なくとも１つに設置された無線送受信回路を介して無線接続される無線端末と、を備え、室内ゲートウェイは、玄関子機あるいは室内親機からの信号を伝送線を介して受信すると、ネットワークを経由して外部ゲートウェイに信号を送る信号変換回路を備え、  無線端末は、無線送受信回路の信号を受信したら位置情報を室内ゲートウェイに送る無線端末ＣＰＵを備え、室内ゲートウェイは、玄関子機からの呼出操作に基づく呼出信号を受信すると、ネットワークを経由して位置情報の送出された外部ゲートウェイに呼出信号を送り、外部ゲートウェイは、室内ゲートウェイから呼出信号をネットワークを介して受信すると、外部親機及び無線端末に呼出信号を送り、無線端末が応答操作を行なった後に外部親機で通話操作を行なうと、外部親機と玄関子機との通話路を確立することを特徴とする。
【０００６】
また、本発明のインターホンシステムは、請求項１において、無線送受信回路は、玄関子機のカメラ映像を無線端末に転送するとともに、無線端末はカメラ映像を出画することを特徴とする。
【０００７】
さらに、本発明のインターホンシステムは、請求項１において、外部ゲートウェイは、玄関子機のカメラ映像を外部親機に転送するとともに、外部親機はカメラ映像を出画することを特徴とする。
【発明の効果】
【０００８】
本発明のインターホンシステムによれば、玄関子機からの呼出信号をインターネット通信用のゲートウェイを介して外部の無線端末及び外部親機に送信し、無線端末の応答操作の後に外部親機を操作することによって外部親機と玄関子機の通話が可能となるため、対応する居室親機さえあればどこに外出していても呼出に応答することができる。
【０００９】
また、既にネットワーク環境が構築されている住居においては、通信契約を追加することなく、玄関子機と、室外の親機とで来客の画像を確認しながら通話できるようになる。
【発明を実施するための最良の形態】
【００１０】
以下、本発明のインターホンシステムにおける好ましい実施の形態例について図面を参照して説明する。
図１は本発明の第１の実施例によるインターホンシステムを示すブロック図である。
図１に示す本発明のインターホンシステムは、例えば戸建住宅（以下、「第１の世帯」という。）に設置され、第１の世帯には、玄関に設置され来訪者が居住者を呼び出し通話するための玄関子機１ａと、玄関子機１ａと接続されて室内に設置され玄関子機１からの呼び出しに応じて通話を行う室内親機２ａとを備えている。
【００１１】
玄関子機１ａは、来訪者が居住者を呼び出すための呼出ボタン１４と、来訪者と通話するための子機マイク１３、子機スピーカ１２と、玄関周辺や来訪者を撮像しテレビ電話の映像信号として玄関子機１ａから室内親機２ａへ信号を伝送する子機カメラ１１とを備えている。
【００１２】
また、室内親機２ａは、玄関子機１ａからの呼出、即ち、来訪者による呼出があることを示す呼出音を出力すると共に居住者が来訪者との間で通話を行うための音声を出力させるための親機スピーカ２０と、居住者が来訪者との間で通話を行うための親機マイク２１と、玄関子機１ａの子機カメラ１１にて撮像された映像を出画するための親機モニタ２２とを備えている。
【００１３】
なお、第１の世帯には、室内端末と通信可能なＬＡＮが予め構築されており、このＬＡＮによるインターネット等の外部ネットワークに接続可能なゲートウェイ３ａを備え、室内親機２ａは伝送線Ｌ１によってゲートウェイ３ａに接続されている。
【００１４】
また、第１の世帯と異なる他の世帯（以下、「第２の世帯」という。）には、第１の世帯と同様に玄関子機１ｂと、室内親機２ｂと、ゲートウェイ３ｂを備えている。また、室内親機２ｂとゲートウェイ３ｂの少なくとも１つには、無線ＬＡＮにより無線通信するための無線送受信回路２９、３９を備えている。なお、室内親機２ｂとゲートウェイ３ｂは、無線送受信回路２９、３９の有無を除けば内部回路構成は室内親機２ａとゲートウェイ３ａとそれぞれ同一である。なお、玄関子機１ａ、１ｂは同一回路構成である。
【００１５】
無線端末５は、無線送受信回路２９、３９の少なくとも１つと無線通信して信号を送受信するものであり、無線送受信回路２９、３９の信号を受信したら位置情報をゲートウェイ３ａに送る無線端末ＣＰＵ５１を有している。なお、無線端末５の具体的な機器としては、携帯用ゲーム機、ノートパソコン等が好適である。
【００１６】
このように構成されたインターホンシステムにおいて、以下、動作を説明する。
玄関子機１ａで呼出を行なった場合について説明する。なお、無線端末５の位置情報は予めゲートウェイ３ａに送られており、また、無線送受信回路３９はゲートウェイ３ｂに設置されているものとする。
【００１７】
来訪者が第１の世帯の玄関子機１ａの呼出ボタン１４を押すと、室内親機２ａのスピーカ２０で呼出音が出力し、玄関子機１ａの子機カメラ１１で撮像された映像が室内親機２ａのモニタ２２に出力されると共に、ゲートウェイ３ａに呼出信号と映像信号が送信される。ゲートウェイ３ａは、呼出先が例えば無線端末５に予め設定されている場合には、予め記憶している無線端末５の位置情報から、呼出信号の送付先であるゲートウェイ３ｂを特定し、玄関子機１ａで撮像した映像信号を付加した呼出信号と映像信号をゲートウェイ３ｂを宛先としてネットワークに送信する。
【００１８】
ゲートウェイ３ｂはネットワークから呼出信号と映像信号を受信すると、無線送受信回路３９から無線端末５に対して呼出信号と映像信号を送信する。
【００１９】
無線端末５はゲートウェイ３ｂから呼出信号と映像信号を受信すると、呼出表示を行なうとともに、映像信号を無線端末５に表示する。
【００２０】
無線端末５の呼出表示と子機カメラ１１で撮像された映像を確認した無線端末５の操作者は、無線端末５の応答ボタンを押下すると、応答信号がゲートウェイ３ｂに送信される。応答信号を受信したゲートウェイ３ｂは、室内親機２ｂに呼出信号と映像信号を送信し、子機カメラ１１で撮像された映像が室内親機２ｂの画面上にも表示される。また、無線端末５の操作者は、近くにある室内親機２ｂで通話ボタンを押す、受話器を上げる等の応答操作を行なうと、室内親機２ｂ玄関子機１ａの通話路が確立し、自宅以外の任意の場所で、他世帯のインターホンを使用して自宅への来客と通信することができる。
【００２１】
なお、本発明について無線送受信回路２９がなく、無線送受信回路３９のみが存在するとして説明してきたが、もちろん無線送受信回路３９がなく無線送受信回路２９のみでも同様の効果を奏するとともに、無線送受信回路２９と無線送受信回路３９がいずれも存在した場合には受信範囲が広がるというさらなる効果も得ることができる。
【図面の簡単な説明】
【００２２】
【図１】図１は、本発明のインターホンシステムによる好ましい実施例を示すブロック図である。
【符号の説明】
【００２３】
１・・・玄関子機
１１・・・カメラ
２ａ・・・室内親機
２ｂ・・・外部親機
３ａ・・・ゲートウェイ
３ｂ・・・外部ゲートウェイ
２９、３９・・・無線送受信回路
５・・・無線端末
３１・・・信号変換回路
５１・・・無線端末ＣＰＵ
Ｌ１・・・第１の伝送線
Ｌ２・・・第２の伝送線
【図１】
2010130431.tif 000003